(57)【要約】      （修正有）【課題】ゴルフプレー時、ティー、グリーンフォーク、ゴルフマーカー等を使用する際の体勢を維持したまま、容易に各小物の取り出し及び収容を可能にし、かつ、ゴルフプレー終了時、小物ホルダーをゴルフシューズから簡便に脱着させる事を可能にした小物ホルダーを提供する。【解決手段】ティー、グリーンフォーク、グリーンマーカー等を取り付ける収容部２を設けたゴルフ小物用ホルダー本体１の裏面上部にＵ字状のフック３を固定し、さらに小物ホルダー本体裏面下部には伸縮性のある帯体４と帯体先端にＵ字状のフック３を設ける。【選択図】図１
0003177708.tif 000002
【実用新案登録請求の範囲】
【請求項１】
ティー、グリーンフォーク、ゴルフマーカー等ゴルフ用小物を収容するための収容部を設けたゴルフシューズ側面に取り付けられるゴルフ用小物ホルダーにおいて、小物ホルダー本体裏面上部にＵ字状のフックを固定し、さらに小物ホルダー本体裏面下部には伸縮性のある帯体と帯体先端に、Ｕ字状のフックを設けたことを特徴とするゴルフ用小物ホルダー。
【考案の詳細な説明】
【技術分野】
【０００１】  本考案は、ゴルフプレー時に用いられるティー、グリーンフォーク、ゴルフマーカー等ゴルフ用小物を、ゴルフシューズ側面に取り付けるゴルフ用小物ホルダーに関するものである。
【背景技術】
【０００２】  従来、ゴルフプレー時ティー、グリーンフォーク、ゴルフマーカー等はゴルフウェアーまたはキャディーバックのポケットにまとめて収納され、プレー時の出し入れが手探りにより選択されることで手間がかかり、さらに使用後は土砂等が付着したまま収納することとなり各ポケットが汚れていた。【０００３】  また、ゴルフシューズの靴紐に取り付けるタイプ、ゴルフシューズ本体にゴルフ用小物ホルダーを固定して設けるものもあった。
【考案の開示】
【考案が解決しようとする課題】
【０００４】  ゴルフプレー時ティー、グリーンフォーク、ゴルフマーカー等ゴルフ用小物は、ゴルフウェアー又はキャディーバック等の各ポケットにまとめて収納されており、使用時には手探りにより選択しており、選び出すのに手間が掛かり、また取り出し時に他の収容物が同時に出てしまい紛失するという問題点があった。【０００５】  また、ティー、グリーンフォーク、ゴルフマーカー等使用後は土砂等が付着したまま、ゴルフウェアー又はキャディーバック等の各ポケットに収納することとなり、各ポケットが土砂により汚れていた。【０００６】  さらに、ゴルフシューズの靴紐、またはゴルフシューズ本体に小物ホルダーを固定し設けるタイプのものでは、ゴルフプレー終了時、簡便に取り外すことが困難であり、またプレイヤーの利き腕に応じて、ゴルフシューズ左右を簡易に選択することが不便であった。【０００７】  本考案は、このような従来の構造が有していた問題を解決しようとするものであり、ゴルフプレー時、ティー、グリーンフォーク、ゴルフマーカー等を使用する際の体勢を維持したまま、容易に各小物の取り出し及び収容を可能にし、かつ、ゴルフプレー終了時、小物ホルダーをゴルフシューズから簡便に脱着させる事を可能にした小物ホルダーを提供することを目的とするものである。
【課題を解決するための手段】
【０００８】  本考案は、上記目的を達成するために、ティー、グリーンフォーク、ゴルフマーカー等を取り付ける収容部を設けた小物用ホルダー本体の裏面上部に、Ｕ字状のフックを留め金具等により固着させ、さらに前記小物ホルダー本体裏面下部には伸縮性のある帯体と帯体先端にＵ字状のフックを留め金具等により固着させた事を特徴とする小物ホルダーである。【０００９】  上記考案において、小物用ホルダー本体の裏面上部に固着させたＵ字状フック及び、小物ホルダー本体裏面下部に逢着させた伸縮性のある帯体の先端に設けたＵ字状のフックを、ゴルフシューズ足挿入口外側端縁に係合させることで、脱着自在簡便に装着を可能にするものである。
【考案を実施するための形態】
【００１０】  以下、本考案の実施の形態を図面を参照して、実施の形態を説明する。
【００１１】  まず、図１に示すように、本実施形態に係わるゴルフ小物用ホルダー本体１は、合成皮革、動物性皮革等適度な固さで形状を維持できる部材により形成され、小物用ホルダー前面にはティー、グリーンフォーク、ゴルフマーカー等ゴルフ小物１０を収容するそれぞれの収容部２を設け、図２に示すように、小物用ホルダー裏面上部には、適度な固さを維持できる金具等部材により形成されたＵ字状のフック３、さらに前記小物用ホルダー本体裏面下部には伸縮性のある適宜の長さに裁断されたゴム製などの弾性材からなる帯体４と帯体先端に適度な固さを維持できる金具等部材により構成されたＵ字状のフック３をそれぞれ留め金具５、縫合６により固着し設ける。
【００１２】  そして図３に示すように、本考案のゴルフ小物用ホルダー本体１裏面上部に設けられたＵ字状のフック３を、利き腕に応じて左右ゴルフシューズを選択し、足が挿入されるゴルフシューズ足挿入口の一方の外側端縁７に、小物用ホルダー裏面上部中心に設けられた、Ｕ字状のフック３を係合する。さらに、図４に示すように、小物ホルダー本体裏面下部に設けた伸縮性のある適宜の長さに裁断されたゴム製などの弾性材からなる帯体４をゴルフシューズ表底土踏まず８を通して、図５に示すように、足が挿入されるシューズ足挿入口の一方の外側端縁９に係合する。
【００１３】  なお、本考案は上記説明した考案の素材に限定されるものではなく、本考案の目的及び効果を生じる範囲で各部素材、止め金具等を必要に応じて適宜変更して実施することも可能である。
【考案の効果】
【００１４】  上述したように、本考案の着脱自在に装着可能なゴルフ小物用ホルダーは、ゴルフプレー時、ティー、グリーンフォーク、グリーンマーカー等を使用する際の体勢のを維持したまま、容易に各小物の取り出し及び収納を可能にし、かつ、ティー、グリーンフォーク、グリーンマーカー等ゴルフ小物を視認して簡便に選択することができ、また取り出し時に収容物が同時に出てしまい紛失することを防止することができる。
【００１５】  また、土砂で汚れやすいゴルフ小物を、ゴルフシューズに取り付けることで、ゴルフウェアー又はキャディーバック等の各ポケットを汚すことなく、プレー終了時に、キャディーバック等に、ゴルフ小物をまとめて整理した状態で収納することができる。
【００１６】  さらに、着脱自在に簡便に装着可能にしたゴルフ小物用ホルダーにより、プレイヤーの利き腕に応じて、ゴルフ小物用ホルダーを装着するゴルフシューズ左右を選択することができ、ゴルフプレー時の運動リズムを一定に保つことを可能にした。
【図面の簡単な説明】
【００１７】
【図１】  本考案の本体斜視図
【図２】  本考案の本体裏面斜視図
【図３】  本考案ゴルフシューズ本体装着の実施例
【図４】  本考案ゴルフシューズ表底の実施例
【図５】  本考案ゴルフシューズＵ字状フック装着の実施例
【符号の説明】
【００１８】  １  ホルダー本体
２  ゴルフ小物収容部
３  Ｕ字状のフック
４  弾性材からなる帯体
５  留め金具部
６  縫合部
７  シューズ足挿口外側端縁部本体側
８  シューズ表底土踏まず部
９  シューズ足挿口外側端縁部反対側
１０  ゴルフ小物
【図１】
0003177708.tif 000003
【図２】
0003177708.tif 000004
【図３】
0003177708.tif 000005
【図４】
0003177708.tif 000006
【図５】
0003177708.tif 000007